(57)【要約】【課題】  バケット部の操作性が良く、また生産性の良い手動運搬具を提供することを目的とする。【解決手段】  手動運搬具であって、バケット部と、バケット部の背面から並設して突設された一対の縦杆部と、両縦杆部間に差し渡された把持部と、両縦杆部の先端を連結する連結部と、バケットの背面の両縦杆部間に設けられた足掛け部とからなることを特徴とする。【選択図】図１
2016000929.tif 000002
【特許請求の範囲】
【請求項１】
バケット部と、
前記バケット部の背面から並設して突設された一対の縦杆部と、
前記両縦杆部間に差し渡された把持部と、
前記両縦杆部の先端を連結する連結部と、
前記バケットの背面の前記両縦杆部間に設けられた足掛け部と、からなる手動運搬具。
【請求項２】
前記把持部は、前記両縦杆部間に差し渡された第一の横杆部を有する
請求項１に記載の手動運搬具。
【請求項３】
前記把持部は、さらに、前記両縦杆部のそれぞれに設けられた一対の立設部を有し、
前記第一の横杆部は、前記両立設部間に設けられることにより、前記両縦杆部間に差し渡されている
請求項２に記載の手動運搬具。
【請求項４】
前記連結部は、前記縦杆部の長さ方向とは異なる方向に延出された延出部と、
前記両延出部間に差し渡された第二の横杆部と、を有する
請求項１から３に記載の手動運搬具。
【請求項５】
前記連結部は、前記両縦杆部が挿入される挿入孔と、
前記挿入孔近傍に差し渡された第三の横杆部と、を有する
請求項４に記載の手動運搬具。
【請求項６】
前記縦杆部は、側面視において、前記バケット部の位置が下がるように屈曲した状態に構成されている
請求項１から５に記載の手動運搬具。
【請求項７】
前記縦杆部の屈曲角度は９０度以上１８０度以下である
請求項６に記載の手動運搬具。
【請求項８】
前記把持部と前記連結部は、前記縦杆部とは別体として合成樹脂により構成されている
請求項１から７に記載の手動運搬具。
【発明の詳細な説明】
【技術分野】
【０００１】
本発明は、バケット部に雪や土砂などの運搬物を掬い入れて運搬する手動運搬具に関するものである。
【背景技術】
【０００２】
従来から、手動運搬具として、スノーダンプやスコップといったバケット部で雪を掬って融雪溝まで運搬して排雪したり、邪魔にならない場所に寄せ集めたりする手動運搬具が提案されている。
【０００３】
道路や玄関先などの平坦で広い箇所を除雪する際には、バケット部の側面が高く設定されたスノーダンプ型の手動運搬具を用いた方が効率良く、狭い場所や階段などの段差がある箇所を除雪する際には、スコップ型の手動運搬具を用いた方が適していた。
【先行技術文献】
【特許文献】
【０００４】
【特許文献１】特許５３６２６５２号公報
【０００５】
特許文献１に記載の手動運搬具は、バケット部と、バケット部の左右両端部に並設状態に突設された縦杆部と、縦杆部の先端部間に設けられた握持杆部と、縦杆部のおよそ中間部間に設けられた補助握持杆部とで構成される。これにより、握持杆部と補助握持杆部を持って操作することでスコップのように使用でき、握持杆部を持って補助握持杆部に足を掛けて操作することでスノーダンプのように使用できる。
【発明の概要】
【発明が解決しようとする課題】
【０００６】
特許文献１に記載の発明によれば、スノーダンプとスコップの両方の機能を有する手動運搬具を得られるものの、補助握持杆部は、スノーダンプとして使用する際足を掛ける箇所であると同時に、スコップとして使用する際使用者が持つ箇所であるため、足に付いた泥や雪が付着した補助握持杆部を持つ状況が発生し、使用者の手が汚れてしまうものであった。また、補助握持杆部を足掛けに適した位置に設定すると、補助握持杆部を持って使用する際、手元から距離があるため、扱いづらく、十分な操作性が得られないものであった。
【０００７】
また、バケット部の左右両端部で縦杆部が固定されているため、先端に向かって縦杆部を複数回曲げて構成する必要があり、特に縦杆部を金属等で構成する場合曲げ加工が必要な分、製造コストが掛かる構成となっていた。また、バケット部の左右両端部で縦杆部が固定されているため、スノーダンプとして使用する際、万が一バケット部背面に足を掛けると、荷重の掛かる足掛け位置からバケット部の固定位置までに距離が存在する。このため、荷重によりバケット部が変形し、破損する危険性があった。
【０００８】
本発明は、このような点に鑑みなされたもので、操作性が良く、また生産性の良い手動運搬具を提供することを目的とする。
【課題を解決するための手段】
【０００９】
本発明の請求項１の発明にあっては、手動運搬具であって、バケット部の背面から並設して突設された一対の縦杆部と、両縦杆部間に差し渡された把持部と、両縦杆部の先端を連結する連結部と、バケットの背面の両縦杆部間に設けられた足掛け部と、からなることを特徴とする。
【００１０】
また、請求項２の発明にあっては、請求項１の発明において、縦杆部間に差し渡された第一の横杆部を有すること特徴する。
【００１１】
また、請求項３の発明にあっては、請求項２の発明において、把持部は、さらに、両縦杆部のそれぞれに設けられた一対の立設部を有し、第一の横杆部は、両立設部間に設けられることにより、両縦杆部間に差し渡されていることを特徴とする。
【００１２】
また、請求項４の発明にあっては、請求項１から３の発明において、連結部は、縦杆部の長さ方向とは異なる方向に延出された延出部と、両延出部間に差し渡された第二の横杆部と、を有することを特徴とする。
【００１３】
また、請求項５の発明にあっては、請求項４の発明において、連結部は、両縦杆部が挿入される挿入孔と、挿入孔近傍に差し渡された第三の横杆部と、を有することを特徴とする。
【００１４】
また、請求項６の発明にあっては、請求項１から５の発明において、縦杆部は、側面視において、バケット部の位置が下がるように屈曲した状態に構成されていることを特徴とする。
【００１５】
また、請求項７の発明にあっては、請求項６の発明において、縦杆部の屈曲角度は９０度以上１８０度以下であることを特徴とする。
【００１６】
また、請求項８の発明にあっては、請求項１から６の発明において、把持部と連結部は、縦杆部とは別体として合成樹脂により構成されていることを特徴とする。
【発明の効果】
【００１７】
上述した本発明によれば、バケット部背面から縦杆部を突設して、両縦杆部間に把持部を設け、バケット部背面の縦杆部間に足掛け部を設ける構成としたため、バケット部の操作性がよい手動運搬具を得ることができる。
【００１８】
また、連結部を、縦杆部の長さ方向と直交する方向に延出された延出部と、両延出部間に差し渡された第二の横杆部で構成したため、延出部を持って手動運搬具を操作したり、延出部を両手で持ってスノーダンプとして操作できるといった多様な使用態様を有する手動運搬具を得ることができる。
【００１９】
また、連結部を、両縦杆部が挿入される挿入孔と、挿入孔近傍に差し渡された第三の横杆部で構成したため、連結部自体の剛性の向上と、第三の横杆部を持つことによる多様な使用態様を有する手動運搬具を得ることができる。
【００２０】
さらに、把持部と足掛け部を別々に構成することにより曲げる工程が少なく製造できるため、生産性が良い手動運搬具を得ることができる。
【図面の簡単な説明】
【００２１】
【図１】本発明の実施形態を示す手動運搬具の正面斜視図である。
【図２】本発明の実施形態を示す手動運搬具の背面斜視図である。
【図３】本発明の実施形態を示す手動運搬具の正面図である。
【図４】本発明の実施形態を示す手動運搬具の背面図である。
【図５】本発明の実施形態を示す手動運搬具の右側面図である。
【図６】本発明の実施形態を示す手動運搬具の平面図である。
【図７】本発明の実施形態を示す手動運搬具の底面図である。
【発明を実施するための最良の形態】
【００２２】
以下、本発明の実施形態につき、添付図面を参考にして説明する。
【００２３】
各図に示す手動運搬具は、バケット部１と、バケット部１の背面１３から並設して突設された縦杆部２と、両縦杆部間に差し渡された把持部３と、両縦杆部２の先端２２を連結する連結部４とから構成される。
【００２４】
バケット部１は、上面及び一端側を開口した箱形状に形成される。すなわち、底面１１と、底面１１から立設する左右の側面１２と背面１３とから構成される。
【００２５】
バケット部１は、本実施形態においては、横幅が約３３０〜５３０mmで形成される。なお、材質は、合成樹脂で構成されるが、これに限らず、アルミやチタン等の金属で構成されても良い。
【００２６】
図２に示すように、バケット部１の底面１１には、縦杆部２を挿入し、固定するための円筒状の挿入孔１４と、補強用の凹凸リブ１６が設けられている。
【００２７】
凹凸リブ１６により、バケット部１の剛性を高めることができる。また、縦杆部２がバケット部１の底面１１から挿入されて固定されるため、雪や土砂等を運搬する際、バケット部１の最も荷重の掛かる底面部分の剛性を高めることができる。
【００２８】
バケット部１の背面１３の並設された縦杆部２間には、使用者が足を掛けることが可能な足掛け部１５が設けられている。
【００２９】
これにより、把持部３とは別途足掛け部１５を設けたため、把持部３と足掛け部１５のそれぞれを適正な位置に設定することができる。また、バケット部１における縦杆部２の固定位置から足掛け部１５までの距離が近く、バケット部１が破損しづらいように構成される。
【００３０】
縦杆部２は、バケット部１の挿入孔１４に挿入可能な断面円形状に形成され、バケット部底面１１の挿入孔１４から、バケット部背面側に向かって並設して突設される。本実施形態において縦杆部２は、挿入孔１４に挿入された後、ネジ止めによってバケット部１に固定される。
【００３１】
縦杆部２の材質は、本実施形態においては、アルミで形成される。
【００３２】
図５に示すように、縦杆部２は、基端部２１（バケット部側）から、先端部２２（連結部側）に向かって延出し、側面視において、バケット部１の位置が下がり、先端側２２が上方に位置するように屈曲した状態に構成されている。なお、縦杆部２の屈曲角度θは９０度以上１８０以下であることが好ましい。１６０度がより好ましい。傾斜角度θが９０度未満の場合や１８０度を超える場合には、運搬物を運搬し辛くなる。
【００３３】
このように縦杆部２を屈曲させることにより、足掛け部１５に足を掛けて使用する際においても縦杆部２が使用者の足や膝に当たらないようにすることができる。
【００３４】
縦杆部２の中間には、両縦杆部間に差し渡された把持部３が設けられる。本実施形態においては、縦杆部２の傾斜部分から先端側２２までの位置に設けられる。
【００３５】
把持部３は、一対の縦杆部２を挿入して固定するための２つの挿入孔３３と、側面視で縦杆部２から略垂直方向に延出された一対の立設部３１と、一対の立設部３１間に差し渡された第一の横杆部３２とから構成される。
【００３６】
これにより、スコップとして使用する際、把持部３は、立設部３１により第一の横杆部３２が使用者に近い位置に配置されており扱いやすく、足掛け部１５に足を掛けて使用する際においても第一の横杆部３２が使用者の足に当たらないようにすることができる。
【００３７】
把持部３は、縦杆部２と一体の金属で形成されてもよいが、本実施形態においては、別体の部材で構成される。また、材質は、合成樹脂で構成される。
【００３８】
これにより、金属で把持部３を形成した場合に要する曲げ加工が減少し、生産性を向上させることが可能となる。また、合成樹脂で構成されると、金属で構成した場合と比して把持部３自体が外気によって低温になりづらく、寒冷の状況下においても快適に使用することができる。
【００３９】
一対の縦杆部２の先端部２２は、連結部４により、連結される。
【００４０】
連結部４は、一対の縦杆部２がそれぞれ挿入される２つの挿入孔４４と、側面視においてバケット部１が設けられている側とは逆側の斜め上方に延出された延出部４１と、両延出部４１間に差し渡された第二の横杆部４２と、両挿入孔４４近傍に差し渡された第三の横杆部４３とから構成される。なお、延出部４１は側面視において縦杆部２の略垂直方向に延出するように構成してもよい。
【００４１】
これにより、スノーダンプとして使用する際、使用者が延出部４１を両手で持ち、第二の横杆部４２を腹部で押すことによって、手動運搬具に対して腰から荷重を掛けることができる。
【００４２】
また、スコップとして使用する際においても、使用者が一方の手で把持部３を持ち、他方の手で延出部４１を持って使用したり、第二の横杆部４２を持って使用できるため、多様な使用態様を得ることができる。
【００４３】
なお、延出部４１と第二の横杆部４２の表面に多数の凹凸が設けられており、これにより、延出部４１と第二の横杆部４２を掴んだ使用者の手が滑ることを防止することができる。
【００４４】
連結部４は、挿入孔４４近傍において第三の横杆部４３が差し渡されることにより、その強度が高まるように構成されている。これにより、連結部４を合成樹脂で構成した場合であっても連結部４自体が撓むことが無い。そのため、縦杆部２を挿入孔４４に挿入する際においても容易に挿入して手動運搬具を組み立てることができる。
【００４５】
また、第三の横杆部４３を挿入孔４４近傍において差し渡されるように設けることによって、第三の横杆部４３を持ち手として使用することができる。このように使用する際、第二の横杆部４２を肘当てとして使用できる。
【００４６】
本実施形態において連結部４は、縦杆部２と別体の合成樹脂で構成される。これにより、金属で連結部４を形成した場合に要する曲げ加工が減少し、生産性を向上することが可能となる。また、合成樹脂で構成されると、金属で構成した場合と比して連結部４自体が外気によって低温になりづらく、寒冷の状況下においても快適に使用することができる。
【符号の説明】
【００４７】
１                        バケット部
１１                      底面
１２                      側面
１３                      背面
１４                      挿入孔
１５                      足掛け部
１６                      凹凸リブ
２                        縦杆部
２１                      基端部
２２                      先端部
３                        把持部
３１                      立設部
３２                      第一の横杆部
３３                      挿入孔
４                        連結部
４１                      延出部
４２                      第二の横杆部
４３                      第三の横杆部
４４                      挿入孔
θ                        傾斜角度
【図１】
2016000929.tif 000003
【図２】
2016000929.tif 000004
【図３】
2016000929.tif 000005
【図４】
2016000929.tif 000006
【図５】
2016000929.tif 000007
【図６】
2016000929.tif 000008
【図７】
2016000929.tif 000009